(57)【要約】【課題】電池駆動時には電力消費の少ない放送サービスに切り換えることにより、電池の延命化を図る。【解決手段】テレビ受信機１は複数のセグメントの全てを受信することにより周波数帯域に対応する放送内容を再生する第１の受信再生手段（１１ａ、１２ａ）、複数のセグメントの一部を受信することにより周波数帯域に対応する放送内容を再生する第２の受信再生出力手段（１１ｂ、１２ｂ）、外部電源供給手段もしくは内部電源供給手段の何れかから電源を生成する電源生成手段（１６）、生成された電源が外部電源供給手段より生成されたものか内部電源供給手段より生成されたものかを判定する判定手段（１６、１７）、判定手段による判定結果により第１の受信再生手段、第２の受信再生手段の何れかを動作させる動作制御手段（１６、１７）を備える。【選択図】  図２
2004364095.tif 000002
【特許請求の範囲】
【請求項１】
周波数帯域内に複数のセグメントを含む放送システムより配信されるデータを受信する受信機であって、
前記複数のセグメントの全てを受信することにより、前記周波数帯域に対応する放送内容を再生する第１の受信再生手段と、
前記複数のセグメントの一部を受信することにより、前記周波数帯域に対応する放送内容を再生する第２の受信再生出力手段と、
外部電源供給手段と、
内部電源供給手段と、
前記外部電源供給手段もしくは前記内部電源供給手段の何れかから電源を生成する電源生成手段と、
前記電源生成手段によって生成された電源が前記外部電源供給手段より生成されたものか前記内部電源供給手段より生成されたものかを判定する判定手段と、
この判定手段による判定結果により、前記第１の受信再生手段、前記第２の受信再生手段の何れかを動作させる動作制御手段と
を備えたことを特徴とする受信機。
【請求項２】
前記判定手段の判定条件を設定するための画面をディスプレイ上に表示する表示手段を備えたことを特徴とする請求項１記載の受信機。
【請求項３】
周波数帯域内に複数のセグメントを含む放送システムより配信されるデータを受信する機能を備えた電子機器の受信制御方法であって、
前記複数のセグメントの全てを受信することにより、前記周波数帯域に対応する放送内容を再生する第１の受信再生ステップと、
前記複数のセグメントの一部を受信することにより、前記周波数帯域に対応する放送内容を再生する第２の受信再生ステップと、
外部電源もしくは内部電源の何れかから、電源を生成する電源生成ステップと、
この電源生成ステップにて生成された電源が外部電源より生成されたものか内部電源より生成されたものかを判定する判定ステップと、
この判定ステップによる判定結果により、第１の受信再生ステップ、第２の受信再生ステップの何れかを動作させる動作制御ステップと
からなることを特徴とする受信制御方法。
【発明の詳細な説明】
【０００１】
【発明の属する技術分野】
本発明は、地上デジタル放送システムに適用され、この放送システムより配信されるデータを受信する受信機、及び、電子機器における受信制御方法に関する。
【０００２】
【従来の技術】
ＩＳＤＢ−Ｔ（Ｉｎｔｅｇｒａｔｉｏｎ  Ｓｅｒｖｉｃｅｓ  Ｄｉｇｉｔａｌ  Ｂｒｏａｄｃａｓｔｉｎｇ  Ｔｅｒｒｅｓｔｒｉａｌ）方式は、１９９９年に策定された我が国における地上デジタル放送の技術基準である。ＩＳＤＢ−Ｔ方式の最大の特徴は、一つの放送チャンネルを多重構造としたことにある（たとえば、非特許文献１参照）。すなわち、１事業者に割り当てられる約５．７５ＭＨｚの周波数帯域（チャンネル）内に、「セグメント」と呼ばれる伝送単位（帯域幅約４２９ＫＨｚ）を１３個多重化したものである。
【０００３】
事業者は、セグメントを組み合わせて、固定受信機向けの高精細（高画質）デジタルテレビ放送（ＨＤＴＶ：Ｈｉｇｈ  Ｄｅｆｉｎｉｔｉｏｎ  Ｔｅｌｅｖｉｓｉｏｎ）、固定または移動受信機向けの標準デジタルテレビ放送（ＳＤＴＶ：Ｓｔａｎｄａｒｄ  Ｄｅｆｉｎｉｔｉｏｎ  Ｔｅｌｅｖｉｓｉｏｎ）、及び、携帯電話機やＰＤＡ（Ｐｅｒｓｏｎａｌ  Ｄｉｇｉｔａｌ  Ａｓｓｉｓｔａｎｃｅ）あるいはカーナビ等の簡易動画放送をサイマルキャストする。サイマルキャスト（ＳＩＭＵＬＣＡＳＴ：ＳｉｍｕｌｔａｎｅｏｕｓとＢｒｏａｄｃａｓｔの合成語）とは“同時同内容”の放送のことをいう。サイマル放送ともいう。
【０００４】
図１０は、地上デジタル放送のサービス例とその受信概念図である。この図では、二つのサービスの例が示されている。その一つは１２セグメントのハイビジョン放送または標準放送と、１セグメントの簡易動画放送とをサイマルキャストするサービス（図中のチャンネルＸの例を参照）であり、他の一つは９セグメントのハイビジョン放送と、３セグメントの標準放送と、１セグメントの簡易動画放送とをサイマルキャストするサービス（図中のチャンネルＹの例を参照）である。我が国における地上デジタル放送は、当面、前者のサービス（「１２セグメント放送」と「１セグメント放送」とをサイマルキャストするもの）を行うものと考えられている。
【０００５】
上記のとおり、ＩＳＤＢ−Ｔ方式では、当面、１２セグメント放送と１セグメント放送とをサイマルキャストするので、視聴者は、固定受信機を用いて１２セグメント放送を受信したり、または、携帯受信機を用いて１セグメント放送を受信したり、さらにまたは、持ち運び可能な小型のデジタルテレビ受信機を用いて１２セグメント放送あるいは１セグメント放送を受信したりすることができ、その時々の状況に応じて、同一内容の放送を臨機応変に楽しむことができる。
【０００６】
【非特許文献１】
「ディジタル放送教科書（下）」株式会社ＩＤＧジャパン、２００３年２月１日初版発行、４８頁−５０頁
【０００７】
【発明が解決しようとする課題】
ところで、持ち運び可能な小型のデジタルテレビ受信機を用いて１２セグメント放送を受信する場合、特にそのデジタルテレビ受信機が電池で動いているときは、できるだけ電池の長持ちが求められるものの、１２セグメント放送においては、セグメント数に対応した多くの回路（同調回路や復調回路及び復号回路など）が同時に動作するため、比較的電力消費が大きく、上記の要求（電池の延命化）に応え難いという問題点がある。
【０００８】
したがって、本発明が解決しようとする課題は、特に電池駆動が可能なデジタルテレビ受信機において、電池駆動時には電力消費の少ない放送サービスに切り換えることにより、電池の延命化を図ることを目的とする。
【０００９】
【課題を解決するための手段】
本発明は、周波数帯域内に複数のセグメントを含む放送システムより配信されるデータを受信する受信機であって、前記複数のセグメントの全てを受信することにより、前記周波数帯域に対応する放送内容を再生する第１の受信再生手段と、前記複数のセグメントの一部を受信することにより、前記周波数帯域に対応する放送内容を再生する第２の受信再生出力手段と、外部電源供給手段と、内部電源供給手段と、前記外部電源供給手段もしくは前記内部電源供給手段の何れかから電源を生成する電源生成手段と、前記電源生成手段によって生成された電源が前記外部電源供給手段より生成されたものか前記内部電源供給手段より生成されたものかを判定する判定手段と、この判定手段による判定結果により、前記第１の受信再生手段、前記第２の受信再生手段の何れかを動作させる動作制御手段とを備えたことを特徴とするものである。
この発明では、電源生成手段によって生成された電源が内部電源供給手段より生成されたものである場合に、第２の受信再生手段を動作させるようにすれば、言い換えれば、第１の受信再生手段を動作させないようにすれば、この第１の受信再生手段は、第２受信再生手段に比べて電力消費が大きいので、受信機の電力消費を抑えることができ、内部電源（すなわち電池）の延命化を図ることができる。
また、本発明の好ましい態様は、前記判定手段の判定条件を設定するための画面をディスプレイ上に表示する表示手段を備えたことを特徴とするものである。
この態様では、ユーザは、ディスプレイ上に表示された画面で、前記判定手段の判定条件を任意に設定することができる。このため、ユーザ各々の使用環境に適合した自由なカスタマイズが可能となり、使い勝手の向上を図ることができる。
【００１０】
【発明の実施の形態】
以下、本発明の実施の形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１１】
図１は、実施の形態の地上デジタルテレビ受信機を含むシステム概念図である。地上デジタルテレビ受信機（以下、単に「テレビ受信機」という。）１は、ポータブル型のものであり、持ち運びに適した外観形状（図では小型の薄型形状）のボディ２の前面に、液晶表示パネル等の平面型ディスプレイパネル（タッチパネル付）３やチャンネル選択ボタン等の操作ボタン群４及びスピーカ用拡声穴５などを配置すると共に、ボディ２の任意位置（図では上側面）に受信用のロッドアンテナ６を取り付け、さらに、ボディ２の任意位置（図では右側面）にＤＣジャック７を設けて構成されている。テレビ受信機１は受信機に相当し、平面型ディスプレイパネル３はディスプレイに相当する。
【００１２】
図示のテレビ受信機１は内部電源と外部電源の二電源方式で動作する。すなわち、テレビ受信機１には、商用電源（ＡＣ１００Ｖ）を所定のＤＣ電圧に変換して出力するＡＣ／ＤＣコンバータ８（単にＡＣアダプタまたはＤＣアダプタともいう。）が付属している。外部電源で動作させる場合は、ＡＣ／ＤＣコンバータ８のＡＣプラグ８ａを電源コンセントに差し込むと共に、ＤＣプラグ８ｂをＤＣジャック７に差し込むが、内部電源で動作させる場合は、ＤＣプラグ８ｂをＤＣジャック７から取り外せばよい。
【００１３】
なお、ＡＣ／ＤＣコンバータ８の代わりに、自動車等車両のバッテリ電圧（ＤＣ１２ＶまたはＤＣ２４ＶもしくはＤＣ４２Ｖ）を所定のＤＣ電圧に変換して出力するＤＣ／ＤＣコンバータを用いてもよい。ＡＣ／ＤＣコンバータ８またはＤＣ／ＤＣコンバータのいずれを用いる場合も、ＤＣジャック７に加えられる電圧は共に“外部電源”である。
【００１４】
図２は、テレビ受信機１のブロック図である。テレビ受信機１は、その内部に、受信部１０、復調部１１、復号部１２、表示制御部１３、音声出力部１４、スピーカ１５、電源制御部１６、中央制御部１７及び操作部１８などを含んで構成されている。
【００１５】
各部を説明すると、受信部１０は、ＩＳＤＢ−Ｔ方式のテレビ信号（図１の地上デジタル放送信号を参照）を受信する同調回路（チューナ）であり、この受信部１０は、ＩＳＤＢ−Ｔ方式のテレビ信号の全て（ｎ個：ｎはＵＨＦの１３チャンネルから６２チャンネルまでの５０個）の受信チャンネルについて、各受信チャンネルの１３個のセグメントに対応した同数の同調ブロックを備える。受信部１０は、任意チャンネルの任意の同調ブロックを選択的に動作させることにより、その同調ブロックに対応したセグメントを受信する。図中のＳ１〜Ｓ１３は、ある受信チャンネルの１３個の同調ブロックを模式的に表している。また、同ブロックからなる縦長の矩形図形は、一つの受信チャンネルを模式的に表している。すなわち、縦長の矩形図形はチャンネル数ｎと同数であり、各矩形図形内にそれぞれ１３個の同調ブロックＳ１〜Ｓ１３が実装される模式的構造になっている。
【００１６】
冒頭でも説明したとおり、我が国における地上デジタル放送は、当面、「１２セグメント放送」と「１セグメント放送」とをサイマルキャストするものと考えられており、この場合の１２セグメント放送は７番目のセグメント（Ｓ７ブロックに対応するセグメント）を除く１２個のセグメント（Ｓ１〜Ｓ６及びＳ８〜Ｓ１３ブロックに対応するセグメント）を使用し、１セグメント放送は７番目のセグメント（Ｓ７ブロックに対応するセグメント）を使用する。後で詳しく説明するが、本実施の形態のテレビ受信機１は、１２セグメント放送と１セグメント放送を択一的に受信することができる。
【００１７】
復調部１１は、受信部１０で取り出された任意の受信チャンネルの１２個または１個のセグメントをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）に対応した方式で復調する。ＩＳＤＢ−Ｔ方式では、１３個のセグメントを最大３種類の異なる変調方式を持つグループで分割できるとされており、たとえば、１２セグメント放送には６４ＱＡＭ（Ｑｕａｄｒａｔｕｒｅ  Ａｍｐｌｉｔｕｄｅ  Ｍｏｄｕｌａｔｉｏｎ：直交振幅変調）、１セグメント放送にはＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ：差動４相位相変調）などの変調方式を用いることができる。
【００１８】
以下、１２セグメント放送に６４ＱＡＭ、１セグメント放送にＤＱＰＳＫを用いることにすると、復調部１１は、６４ＱＡＭ復調ブロック１１ａとＤＱＰＳＫ復調ブロック１１ｂとを備える。そして、この復調部１１も、上記の受信部１０と同様に、少なくとも１セグメント放送の受信時には、１２セグメント放送の復調ブロック（すなわち、６４ＱＡＭ復調ブロック１１ａ）を非活性化状態（電力を消費しない状態）にする。６４ＱＡＭ復調ブロック１１ａは第１の受信再生手段の一部に相当し、ＤＱＰＳＫ復調ブロック１１ｂは第２の受信再生手段の一部に相当する。
【００１９】
復号部１２は、復調部１１で復調された１２セグメント放送または１セグメント放送及びそれらの音声を各々の圧縮方式に適合したアルゴリズムで伸張するためのものであり、たとえば、ＭＰＥＧ（Ｍｏｖｉｎｇ  Ｐｉｃｔｕｒｅ  Ｅｘｐｅｒｔｓ  Ｇｒｏｕｐ）−２で伸張する１２セグメント（図中の“ＳＥＧ”はセグメントの略である。）放送用復号ブロック１２ａ、Ｈ．２６４、もしくは、ＭＰＥＧ−４に準拠した方式で伸張する１セグメント放送用復号ブロック１２ｂ及びＭＰＥＧ−２＿ＡＡＣ（Ａｄｖａｎｃｅｄ  Ａｕｄｉｏ  Ｃｏｄｉｎｇ）で伸張する音声用復号ブロック１２ｃを備える。そして、この復号部１２も、上記の受信部１０や復調部１１と同様に、少なくとも１セグメント放送の受信時には、１２セグメント放送用復号ブロック１２ａを電力を消費しない状態にする。１２セグメント放送用復号ブロック１２ａは第１の受信再生手段の一部に相当し、１セグメント放送用復号ブロック１２ｂは第２の受信再生手段の一部に相当する。
【００２０】
表示制御部１３は、平面型ディスプレイパネル３の表示制御を行うものである。この表示制御は、通常の使用時に用いられるモード、すなわち、復号部１２で復号された１２セグメント放送または１セグメント放送の映像信号を平面型ディスプレイパネル３に出力して、それらの放送の画像を表示させる通常のモードと、初期設定等の際に用いられるモード、たとえば、後述のシステム設定選択画面を表示する設定モードの少なくとも二つがある。
【００２１】
音声出力部１４は、復号部１２で復号された１２セグメント放送の音声信号または１セグメント放送の音声信号を増幅してスピーカ１５を駆動するものである。また、この音声出力部１４は、平面型ディスプレイパネル３に後述のシステム設定選択画面が表示されているときに、電子的な操作音を発生してスピーカ１５を駆動するものであってもよい。
【００２２】
電源制御部１６は、テレビ受信機１の内部電源（以下、単に「電池」という。）１９またはＤＣジャック７に加えられた外部電源のいずれか一方から、各部（受信部１０、復調部１１、復号部１２、表示制御部１３、音声出力部１４、中央制御部１７及び平面型ディスプレイパネル３など）に必要な各種内部電源Ｖａを生成するものである。
【００２３】
図３は、電源制御部１６の一例を示すブロック図である。この図において、電源制御部１６はＤＣジャック７の電圧（つまり外部電源の電圧）Ｅｅｘｔを検出する電圧検出回路１６ａと、電圧検出回路１６ａが外部電源の電圧Ｅｅｘｔを検出していないときには電池１９の電圧Ｅｉｎｔを選択する一方、電圧検出回路１６ａが外部電源の電圧Ｅｅｘｔを検出しているときには電圧Ｅｅｘｔを選択する電圧選択回路１６ｂと、電圧選択回路１６ｂで選択された電圧（ＥｅｘｔまたはＥｉｎｔ）からテレビ受信機１の各部の動作に必要な各種の内部電源Ｖａを生成する電源生成回路１６ｃと、上記の内部電源Ｖａを分配して、それらの分配電圧Ｖａ１〜Ｖａｎをテレビ受信機１の各部に供給する分配回路１６ｄとを有する。
【００２４】
なお、図面では内部電源Ｖａの伝達線数を１本としているが、この線数と内部電源Ｖａの種類は必ずしも一致しない。たとえば、Ｖａは複数の異なる電圧のセットであってもよい。
【００２５】
ここで、電圧検出回路１６ａの検出結果は、電源種別通知信号（Ｖａの生成元になっている電源の種別を通知する信号）として中央制御部１７に出力される。また、分配回路１６ｄには中央制御部１７からの制御信号が入力されている。分配回路１６ｄは、その制御信号に基づいて、テレビ受信機１の各部に供給する分配電圧Ｖａ１〜Ｖａｎの各々を個別にオンオフする。したがって、電源制御部１６は、以下の機能を有する。
【００２６】
すなわち、電源制御部１６は、内部電源Ｖａの生成元になっている電源種別を判定する機能を持つ。一般的に外部電源と内部電源の二電源方式の電子機器は、外部電源優先であるので、本実施の形態のテレビ受信機１もその例に従うものとすると、電源制御部１６は、ＤＣジャック７に外部電源が加えられているときには電池１９の有無に関わらず、その外部電源（の電圧Ｅｅｘｔ）から各種内部電源Ｖａを生成する一方、ＤＣジャック７に外部電源が加えられていないときには電池１９の電圧Ｅｉｎｔから内部電源Ｖａを生成する。
【００２７】
また、電源制御部１６は、上記の判定結果（ＤＣジャック７に外部電源が加えられているか否かの判定結果）を中央制御部１７に通知する機能を持つと共に、その通知に応答して中央制御部１７から返される所定の制御信号に従って、各種内部電源Ｖａの個別オンオフを行う機能を持つ。ここで、“オフ”状態とされる内部電源は、少なくとも、１セグメント放送受信時に非活性化されるブロック（受信部１０のＳ１〜Ｓ６ブロックとＳ８〜Ｓ１３ブロック、復調部１１の６４ＱＡＭ復調ブロック１１ａ、復号部１２の１２セグメント放送用復号ブロック１２ａ）への供給内部電源である。
【００２８】
次に、中央制御部１７は、テレビ受信機１の動作を統括する部分であり、たとえば、マイクロコンピュータによって構成されているものである。この中央制御部１７は、チャンネル選択ボタン等の操作ボタン群４（図１参照）を含む操作部１８からの操作信号に応じて、通常のテレビ受信制御、たとえば、受信チャンネルを切り換えたり、平面型ディスプレイパネル３の表示調整を行ったり、スピーカ１５の音量を調整したりする。また、この中央制御部１７は、以下に説明する「電源制御」を継続的または周期的に実行すると共に、必要に応じて、平面型ディスプレイパネル３にシステム設定選択画面を表示し、ユーザに対して後述の「電源制御モード」の選択を促して、その選択情報を不図示のメモリに記憶する。
【００２９】
図４（ａ）は、中央制御部１７で実行される「電源制御」の概念的なフローチャートを示す図である。このフローチャートにおいて、中央制御部１７は、電源制御部１６からの通知信号に基づいて、現在、ＤＣジャック７に外部電源が加えられているか否かを判定する（ステップＳ１１）。そして、外部電源が加えられている場合は「１２セグメント放送受信モード」を選択し（ステップＳ１２）、外部電源が加えられていない場合は「１セグメント放送受信モード」を選択し（ステップＳ１３）、いずれの場合も再びステップＳ１１に復帰する。
【００３０】
図４（ｂ）は、「１２セグメント放送受信モード」と「１セグメント放送受信モード」の対比表を示す図である。１２セグメント放送受信モードを選択した場合は、受信部１０の１２セグメントブロック（Ｓ１〜Ｓ６、Ｓ８〜Ｓ１３）、復調部１１の６４ＱＡＭブロック１１ａ、及び、復号部１２の１２セグメント復号ブロック１２ａに電源が供給される。一方、１セグメント放送受信モードを選択した場合は、受信部１０の１セグメントブロック（Ｓ７）、復調部１１のＤＱＰＳＫブロック１１ｂ、及び、復号部１２の１セグメント復号ブロック１２ｂに電源が供給される。なお、対比表に記載されていないブロックに対してはモードの種類に関わらず、電源が供給される。
【００３１】
さて、同対比表では“電源供給”に着目しているが、“電源非供給”の点で見た場合、少なくとも、１セグメント放送受信モードを選択した場合には、受信部１０の１２個の同調ブロック（Ｓ１〜Ｓ６、Ｓ８〜Ｓ１３）、復調部１１の６４ＱＡＭブロック１１ａ、及び、復号部１２の１２セグメント復号ブロック１２ａに電源が供給されないため、これらのブロックは動作を停止した状態になる。
【００３２】
したがって、以上の実施の形態によれば、外部電源が加えられている場合（ステップＳ１１の“ＹＥＳ”）は、「１２セグメント放送受信モード」を選択（ステップＳ１２）して良好な画質のテレビ放送を受信することができる。また、外部電源が加えられていない場合（ステップＳ１１の“ＮＯ”）は、テレビ受信機１が内部電源（電池１９）で動作しているものと判断して「１セグメント放送受信モード」を選択（ステップＳ１３）し、１セグメント放送の受信に不必要なブロックを非活性化して電力消費を抑え、電池１９の延命化を図ることができる。
【００３３】
なお、本発明の外延は上記の実施の形態に限定されるものではなく、その技術思想の範囲内において様々な変形例や発展例を包含することはもちろんである。
【００３４】
図５は、発展例を示す図である。上記の実施の形態においては、外部電源と内部電源のいずれであるかを判定して「１２セグメント放送受信モード」と「１セグメント放送受信モード」を切り換えていたが、内部電源に用いられる電池１９は、アルカリ電池やニッカド電池のような高性能電池と、マンガン電池のような低性能電池の二種類存在する。ここで“性能”とは、同一の負荷を接続したときに定格電圧を維持できる放電時間のことをいう。放電時間が長い電池を高性能、短い電池を低性能という。
【００３５】
さて、高性能電池を用いる場合は、その使用時間が短い間であれば、画質優先で「１２セグメント放送受信モード」を選択しても差し支えないことがある。また、低性能電池を用いる場合は、時間優先で「１セグメント放送受信モード」を選択することが望ましい。このように、単に内部電源を使用するにしても、電池１９の性能如何によっては「１２セグメント放送受信モード」を選択したり、「１セグメント放送受信モード」を選択したりケースバイケースになる。
【００３６】
図示の発展例は、このようなケースに柔軟に対応できるようにしたものである。すなわち、テレビ受信機１のボディ２の適当な場所（図示の例では電池ボックス２ａ内）に電池種別を切り換えるためのスイッチ２０が設けられている。このスイッチ２０は、高性能ポジションと低性能ポジションの二つのポジジョンに切り換え可能な、たとえば、スライト式のスイッチである。電池ボックス２ａに高性能な電池１９を入れた場合はスイッチ２０を高性能ポジションにし、低性能な電池１９を入れた場合はスイッチ２０を低性能ポジションにする。
【００３７】
図６は、この発展例に対応させて改良した上記の「電源制御」（図４（ａ）参照）の概念的なフローチャートを示す図である。このフローチャートにおいて、上記の「電源制御」との相違点は、外部電源でないことを判定した場合、言い換えれば、内部電源であることを判定した場合に、その内部電源として用いられている電池１９が高性能なものであるか否かを判定する処理（ステップＳ２１）を追加したことにある。高性能な電池１９であれば「１２セグメント放送受信モード」を選択し（ステップＳ１２）、低性能な電池１９であれば「１セグメント放送受信モード」を選択する（ステップＳ１３）。高性能か低性能かの判断は、スイッチ２０のポジションを調べることによって行う。このようにすると、電池の性能に応じて「１２セグメント放送受信モード」と「１セグメント放送受信モード」を択一的に選択できる。
【００３８】
なお、以上の発展例では、電池の種別を人為的に判定してスイッチ２０を切り換えているが、この方法は、面倒であるし、判定ミスの可能性も否定できないので、自動化することが望ましい。
図７は、電池の種別を自動判定できるように改良した例である。この図において、電池１９′は充電可能な電池、つまり二次電池である。二次電池１９′には充電回路１６ｄが接続されており、この充電回路１６ｄはＤＣジャック７に外部電源が加えられているとき、その外部電源を用いて二次電池１９′を充電する。
【００３９】
一方、二次電池１９′に接して（または、その近傍に）温度センサ１６ｅが設けられており、温度センサ１６ｅの出力は電池種別判定回路１６ｆに入力されている。ここで、二次電池１９′の種類は、たとえば、ニッケル・カドミウム電池やニッケル・水素電池など様々であるが、それらの種類に応じて充電時の温度変化に違いがあることが知られている（たとえば、特開平６−２５１８０２号公報の〔００１６〕欄参照）。
【００４０】
したがって、図示の電池種別判定回路１６ｆによって、二次電池１９′の充電時における電池温度（温度センサ１６ｅの出力）の変化傾向を調べ、事前に登録しておいた各電池種別ごとの温度変化パターンと照合することにより、二次電池１９′の種類を自動的に判定することができる。
【００４１】
このようにすると、電池種別の人為的判定を行う必要がなくなり、且つ、前記のスイッチ２０をいちいち切り換える必要もないから、手間を軽減し、判定ミスを無くすことができる。
【００４２】
図８（ａ）は、他の発展例を示す図である。上記の実施の形態においては、内部電源（または低性能な電池１９）を使用する際、無条件で「１セグメント放送受信モード」を選択しているが、この仕組みでは、たとえば、電力消費を犠牲にしても画質を優先させたい場合に対応できない。
【００４３】
そこで、図示の発展例では、平面型ディスプレイパネル３にシステム設定選択画面を表示させるときに、電源制御モード設定画面（画面）２１を表示させる。この電源制御モード設定画面２１はいくつかのグラフィカルボタンオブジェクトを適宜にレイアウトして構成されている。たとえば、自動選択するボタン２１ａ、自動選択しないボタン２１ｂ、ＯＫボタン２１ｃ及びキャンセルボタン２１ｄなどを適宜にレイアウトして構成されている。自動選択するボタン２１ａと自動選択しないボタン２１ｂは択一的な押圧操作（タッチパネルへのタッチ操作）が可能であり、自動選択するボタン２１ａを押圧した場合は、内部電源（または低性能な電池１９）を使用する際に無条件で「１セグメント放送受信モード」を選択し、自動選択しないボタン２１ｂを押圧した場合は電源種別に関わらず、「１２セグメント放送受信モード」を選択する。これらの押圧操作を確定する場合はＯＫボタン２１ｃを押圧し、無効にする場合はキャンセルボタン２１ｄを押圧する。
【００４４】
このようにすると、たとえば、内部電源で動作しているときに、電力消費を犠牲にしても画質を優先させたい場合には、自動選択しないボタン２１ｂを押圧した後、ＯＫボタン２１ｃを押圧すればよい。
【００４５】
図８（ｂ）は、さらに他の発展例を示す図であり、自動選択の詳細設定をユーザの意思で行うようにしたものである。図示の電源制御モード設定画面（画面）２２はいくつかのグラフィカルボタンオブジェクトを適宜にレイアウトして構成されている。たとえば、外部電源使用時の放送受信モード選択ボタン（１２セグメント放送ボタン２２ａ、１セグメント放送ボタン２２ｂ）、高性能電池使用時の放送受信モード選択ボタン（１２セグメント放送ボタン２２ｃ、１セグメント放送ボタン２２ｄ）、低性能電池使用時の放送受信モード選択ボタン（１２セグメント放送ボタン２２ｅ、１セグメント放送ボタン２２ｆ）、ＯＫボタン２２ｇ及びキャンセルボタン２２ｈなどを適宜にレイアウトして構成されている。
【００４６】
横に並んだ１２セグメント放送ボタンと１セグメント放送ボタンのペア・・・・１２セグメント放送ボタン２２ａと１セグメント放送ボタン２２ｂのペア、１２セグメント放送ボタン２２ｃと１セグメント放送ボタン２２ｄのペア、１２セグメント放送ボタン２２ｅと１セグメント放送ボタン２２ｆのペア・・・・は、それぞれ択一的な押圧操作（タッチパネルへのタッチ操作）が可能である。これらの押圧操作を確定する場合はＯＫボタン２１ｇを押圧し、無効にする場合はキャンセルボタン２１ｈを押圧する。
【００４７】
このようにすると、たとえば、外部電源、内部電源（高性能電池を用いるもの）または内部電源（低性能電池を用いるもの）のいずれにおいても、ユーザの希望どおりに「１２セグメント放送」もしくは「１セグメント放送」を設定することができ、消費電力と画質のどちらを優先させるかをユーザの判断に委ねることができる。
【００４８】
図９は、図８の発展例に対応した「電源制御」の概念的なフローチャートを示す図である。このフローチャートでは、自動選択の「する」、「しない」を判定し（ステップＳ３１）、「しない」場合は、ディフォルトの受信モード（たとえば、画質優先の「１２セグメント放送受信モード」）を選択する（ステップＳ３２）。一方、自動選択を「する」場合は、電源制御部１６からの通知信号とスイッチ２０のポジションに基づいて、現在の電源種別（高性能電池を用いた内部電源／低性能電池を用いた内部電源／外部電源）を判定（ステップＳ３３）すると共に、メモリに記憶されている電源制御モード設定情報（あらかじめ、図８（ｂ）の電源制御モード設定画面２２で設定された情報）を読み出し、その設定情報と上記の電源種別判定結果とに基づいて、適切な受信モードを選択する（ステップＳ３４）。
【００４９】
たとえば、外部電源であって且つ設定情報が「１２セグメント放送受信モード」であれば同モードを選択し、外部電源であって且つ設定情報が「１セグメント放送受信モード」であれば同モードを選択する。または、高性能電池を用いた内部電源であって且つ設定情報が「１２セグメント放送受信モード」であれば同モードを選択し、高性能電池を用いた内部電源であって且つ設定情報が「１セグメント放送受信モード」であれば同モードを選択する。または、低性能電池を用いた内部電源であって且つ設定情報が「１２セグメント放送受信モード」であれば同モードを選択し、低性能電池を用いた内部電源であって且つ設定情報が「１セグメント放送受信モード」であれば同モードを選択する。このように、ユーザの設定に応じた適切な受信モードが選択されるので、画質と電力消費のいずれを優先させるかをユーザの決定に委ねた柔軟性のある使い方をすることができる。
【００５０】
【発明の効果】
本発明によれば、電源生成手段によって生成された電源が内部電源供給手段より生成されたものである場合に、第２の受信再生手段を動作させるようにすれば、言い換えれば、第１の受信再生手段を動作させないようにすれば、この第１の受信再生手段は、第２受信再生手段に比べて電力消費が大きいので、受信機の電力消費を抑えることができ、内部電源（すなわち電池）の延命化を図ることができる。
また、本発明の態様によれば、ユーザは、ディスプレイ上に表示された画面で、前記判定手段の判定条件を任意に設定することができる。このため、ユーザ各々の使用環境に適合した自由なカスタマイズが可能となり、使い勝手の向上を図ることができる。
【図面の簡単な説明】
【図１】実施の形態の地上デジタルテレビ受信機を含むシステム概念図である。
【図２】テレビ受信機１のブロック図である。
【図３】電源制御部１６の一例を示すブロック図である。
【図４】中央制御部１７で実行される「電源制御」の概念的なフローチャートを示す図及び「１２セグメント放送受信モード」と「１セグメント放送受信モード」の対比表を示す図である。
【図５】発展例を示す図である。
【図６】発展例に対応させて改良した上記の「電源制御」（図４（ａ）参照）の概念的なフローチャートを示す図である。
【図７】電池の種別を自動判定できるように改良した例を示す図である。
【図８】他の発展例を示す図及びさらに他の発展例を示す図である。
【図９】図８の発展例に対応した「電源制御」の概念的なフローチャートを示す図である。
【図１０】地上デジタル放送のサービス例とその受信概念図である。
【符号の説明】
Ｓ１〜Ｓ６  同調ブロック（第１の受信再生手段）
Ｓ７  同調ブロック（第２の受信再生手段）
Ｓ８〜Ｓ１３  同調ブロック（第１の受信再生手段）
１  テレビ受信機（受信機）
３  平面型ディスプレイパネル（ディスプレイ）
８  ＡＣ／ＤＣコンバータ（外部電源供給手段）
１１ａ  ６４ＱＡＭ復調ブロック（第１の受信再生手段）
１１ｂ  ＤＱＰＳＫ復調ブロック（第２の受信再生手段）
１２ａ  １２セグメント放送用復号ブロック（第１の受信再生手段）
１２ｂ  １セグメント放送用復号ブロック（第２の受信再生手段）
１３  表示制御部
１６  電源制御部（電源生成手段、判定手段）
１７  中央制御部（判定手段）
１９  電池（内部電源）
２１  電源制御モード設定画面（画面）
２２  電源制御モード設定画面（画面）
【図１】
2004364095.tif 000003
【図２】
2004364095.tif 000004
【図３】
2004364095.tif 000005
【図４】
2004364095.tif 000006
【図５】
2004364095.tif 000007
【図６】
2004364095.tif 000008
【図７】
2004364095.tif 000009
【図８】
2004364095.tif 000010
【図９】
2004364095.tif 000011
【図１０】
2004364095.tif 000012